(57)【要約】  【課題】  本発明は、通話相手先のタイミングにより簡単に音声の記録することが可能な音声通信用端末装置を提供することを目的とする。  【解決手段】  通話中において通話相手先からの制御信号が送信され、この制御信号を制御信号識別部７で確認することで、通話相手先からの音声データの記憶部４への記録を開始する。そして、記憶部４への音声データの記録動作を行っているときに、通話相手先からの制御信号が送信され、この制御信号を制御信号識別部７で確認することで、通話相手先からの音声データの記憶部４への記録を停止する。【選択図】      図１
2007235328.tif 000002
【特許請求の範囲】
【請求項１】
データを記憶する記憶部と、該記憶部に対するデータの書き込み及び読み出しを行う記録制御部と、ネットワーク回線と接続して外部との通信を行う通信制御部と、該通信制御部で受信した音声データにより音声出力を行うとともに音声入力により得られた音声データを該通信制御部に与える通話部と、通話相手先のダイヤルを含むユーザの操作を受ける操作部と、を備える音声通話用端末装置において、
前記通信制御部で得られた通話相手先となる端末装置から送信される信号より、前記記憶部へのデータの記録を指示する制御信号を識別する制御信号識別部を備え、
前記制御信号識別部において、前記制御信号が前記通信制御部で受信されたことを確認すると、前記制御信号によって指定される期間に前記通信制御部で受信された信号により得られる前記音声データに基づくデータを前記記録制御部に与えて前記記憶部に記憶させることを特徴とする音声通話用端末装置。
【請求項２】
時間を計測するタイマを備え、
前記制御信号によって指定される期間が、前記記憶部への記憶動作が行われていないときに前記制御信号識別部で前記制御信号を確認したときから、前記タイマによって計測された所定時間が経過するまでであることを特徴とする請求項１に記載の音声通話用端末装置。
【請求項３】
前記制御信号によって指定される期間が、前記記憶部への記憶動作が行われていないときに前記制御信号識別部で前記制御信号を確認したときから、次に前記制御信号識別部で前記制御信号を確認するまでであることを特徴とする請求項１又は請求項２に記載の音声通話用端末装置。
【請求項４】
前記記憶部が、記憶するデータの種類に応じて格納する領域がｎ（ｎは、２以上の整数）領域に分割されるとともに、
前記制御信号が、ｎ領域それぞれを指定する情報によるｎ種類の信号であり、
前記制御信号識別部において、前記制御信号の情報を確認することで、データの記録先となる前記記憶部の領域が確認されることを特徴とする請求項１〜請求項３のいずれかに記載の音声通話用端末装置。
【請求項５】
前記記憶部が、記憶するデータの種類に応じて格納する領域がｎ（ｎは、２以上の整数）領域に分割されるとともに、
前記制御信号識別部において前記制御信号の受信を確認したとき、前記記憶部の領域が前記操作部により指定されたことを確認し、前記操作部により指定された前記記憶部の領域への記憶動作を行うことを特徴とする請求項１〜請求項３のいずれかに記載の音声通話用端末装置。
【請求項６】
前記制御信号識別部において前記制御信号の受信を確認したとき、前記記憶部の領域が前記操作部により指定されなかった場合、予め設定された前記記憶部の領域への記憶動作を行うことを特徴とする請求項５に記載の音声通話用端末装置。
【請求項７】
前記制御信号識別部において、前記制御信号が前記通信制御部で受信されたことを確認すると、前記制御信号によって指定される期間に前記通信制御部で受信された信号により得られる前記音声データを前記記録制御部に与えて前記記憶部に記憶させることを特徴とする請求項１〜請求項６のいずれかに記載の音声通話用端末装置。
【請求項８】
前記通信制御部で受信された信号により得られる前記音声データを文字によるテキストデータに変換する音声認識部を備え、
通話前記制御信号識別部において、前記制御信号が前記通信制御部で受信されたことを確認すると、前記制御信号によって指定される期間に前記通信制御部で受信された信号により得られる前記音声データに基づく前記テキストデータを前記音声認識部より前記記録制御部に与えて前記記憶部に記憶させることを特徴とする請求項１〜請求項６のいずれかに記載の音声通話用端末装置。
【請求項９】
前記音声認識部における前記音声データから前記テキストデータに変換する際の音声認識動作に対するアプリケーションをｍ種類（ｍは、２以上の整数）備え、
前記制御信号が、前記ｍ種類のアプリケーションそれぞれを指定する情報によるｍ種類の信号であり、
前記制御信号識別部において、前記制御信号の情報を確認することで、前記音声認識部における音声認識動作に対する前記アプリケーションが確認されることを特徴とする請求項８に記載の音声通話用端末装置。
【請求項１０】
前記音声認識部における前記音声データから前記テキストデータに変換する際の音声認識動作に対するアプリケーションをｍ種類（ｍは、２以上の整数）備え、
前記制御信号識別部において前記制御信号の受信を確認したとき、前記音声認識部における音声認識動作に対する前記アプリケーションが前記操作部により指定されたことを確認し、前記音声認識部において、前記操作部により指定された前記アプリケーションによる音声認識動作が行われることを特徴とする請求項８に記載の音声通話用端末装置。
【請求項１１】
前記制御信号識別部において前記制御信号の受信を確認したとき、前記音声認識部における音声認識動作に対する前記アプリケーションが前記操作部により指定されなかった場合、前記音声認識部において、予め設定された前記アプリケーションによる音声認識動作が行われることを特徴とする請求項１０に記載の音声通話用端末装置。
【請求項１２】
前記記憶部へのデータの記録が終了すると、前記通信制御部より通信相手先に、前記記憶部へのデータの記録の完了を示す信号を送信することを特徴とする請求項１〜請求項１１のいずれかに記載の音声通話用端末装置。
【請求項１３】
前記記憶部に記録されたデータが再生されるとき、前記記録制御部によって前記記憶部より読み出されたデータが前記通話部に与えられて出力されることを特徴とする請求項１〜請求項１２のいずれかに記載の音声通話用端末装置。
【請求項１４】
前記記憶部に記録されたデータが再生されるとき、記記録制御部によって前記記憶部より読み出されたデータが、前記通信制御部に与えられて前記通信制御部より現在の通信相手先となる端末装置に送信されることを特徴とする請求項１〜請求項１３のいずれかに記載の音声通話用端末装置。
【請求項１５】
前記制御信号がＤＴＭＦ信号であることを特徴とする請求項１〜請求項１４のいずれかに記載の音声通話用端末装置。
【請求項１６】
前記通話相手先となる端末装置に対して、前記制御信号を発生する操作を指示するための音声ガイダンスとなる音声信号を前記通信制御部で生成して送信することを特徴とする請求項１〜請求項１５のいずれかに記載の音声通話用端末装置。
【請求項１７】
前記制御信号を発生する操作が特定の操作ボタンを押下することであることを特徴とする請求項１６に記載の音声通話用端末装置。
【請求項１８】
前記特定の操作ボタンを前記通話相手先に通知するために、前記特定の操作ボタンと同一の自機器の操作ボタンが押下されることで指定されることを特徴とする請求項１６に記載の音声通話用端末装置。
【請求項１９】
コンピュータを請求項１〜請求項１８のいずれかに記載の音声通話用端末装置として動作させるプログラムであることを特徴とする音声通話用プログラム。
【発明の詳細な説明】
【技術分野】
【０００１】
本発明は、携帯電話装置や固定電話装置などの音声通話用端末装置に関するもので、特に、通話中の音声を記録することができる情報記録機能を備える音声通話用端末装置に関する。
【背景技術】
【０００２】
近年、携帯電話装置や固定電話装置などの音声通話用端末装置において、通話中の音声を記録する機能を備えるものが普及されている。このような従来の音声通話用端末装置の構成を、図１４に示す。図１４の音声通話用端末装置は、ネットワーク回線２０と接続された回線接続インターフェース（回線接続Ｉ／Ｆ）１と、回線接続Ｉ／Ｆ１で送受信されるデータの処理を行う通信制御部２と、通話を行うために音声の入出力を行うとともに音声及び音声データの相互変換を行う通話部３と、通話中の情報を記憶する記憶部４と、記憶部４への書き込み又は読み出し制御を行う記録制御部５と、ダイヤルやタッチパネルなどのユーザによって操作される操作部６と、を備える。
【０００３】
このように構成される音声通話用端末装置は、ネットワーク回線２０を通じて音声データの送受信が行われ、回線接続Ｉ／Ｆ１で受信された音声データが通信制御部２で復調及び復号化された後、通話部３に与えられて音声出力される。又、通話部３で音声入力されて得られた音声データが通信制御部２で符号化及び変調された後、回線接続Ｉ／Ｆ１より送信される。
【０００４】
そして、通話中に操作部６が操作されて、通話内容の記録が指示されると、記録制御部５が動作し、通信制御部２で得られた音声データを記憶部４に格納する。又、他の端末装置との通信接続が行われていないときに、操作部６が操作されて記憶部４に記憶された内容の再生が支持されたとき、記憶部４内の音声データが記録制御部５により読み出される。そして、通信制御部２を通じて通話部３に与えられて、記録された通話内容が音声出力される。
【０００５】
このように通話中の内容を記録するものの中には、通話中に片方の話者から発せられたキーワードを認識する音声認識方法が提案されている（特許文献１参照）。この音声認識方法においては、音声認識での誤認識を避けるために、音声認識を行うタイミングを指示するタイミング指示手段や、音声認識を行うキーワードを双方で繰り返す方法が、使用されている。
【０００６】
又、相手方からの音声やＤＴＭＦ（Dual Tone Multi Frequency）トーンやダイヤル音により与えられる電話番号をテキストデータに変換して記憶する技術が提案されている（特許文献２参照）。この技術によると、記録ボタンをユーザが操作することによって、テキストデータの記録の可否が設定される。よって、記録ボタンが操作されてテキストデータの記録が許可されると、相手方からの音声やＤＴＭＦ（Dual Tone Multi Frequency）トーンやダイヤル音により与えられる電話番号をテキストデータに変換して記憶する。そして、再度、記録ボタンが操作されることで、テキストデータの記録の終了が指示される。
【特許文献１】特開平８−２４８９８７号公報
【特許文献２】特表２００４−５０３１８３号公報
【発明の開示】
【発明が解決しようとする課題】
【０００７】
しかしながら、特許文献１に記載の音声認識方法では、音声認識させて記録させるためのユーザが、タイミング指示手段を操作するか、又は、音声認識させるキーワードを繰り返して復唱するように、記録する装置を使用するユーザ側によって音声認識を指示するための動作を行う必要がある。又、特許文献２においても、記録ボタンをユーザが操作することで、記録の可否が設定され、記録する装置を使用するユーザ側の操作により記録の可否が設定されるものである。
【０００８】
このように、記録ボタンやタイミング指示手段により通話相手の音声の記録が行われる場合、ユーザが記録を指示するために操作するタイミングと、通話相手の発話するタイミングとを合わせる必要がある。よって、そのタイミングが合わずに、重要な情報が記録できなかったり、そのタイミングを合わせるために必要以上に長い時間記録してしまうことがある。又、音声認識させるキーワードを復唱することにより通話相手の音声の記録が行われる場合は、ユーザは、復唱するキーワードを確認する必要があるとともに、そのキーワードが認識可能なように定型的に復唱するという煩雑な動作が必要となる。
【０００９】
このような問題を鑑みて、本発明は、通話相手先のタイミングにより簡単に音声を記録することが可能な音声通信用端末装置を提供することを目的とする。
【課題を解決するための手段】
【００１０】
上記目的を達成するために、本発明の音声通話用端末装置は、データを記憶する記憶部と、該記憶部に対するデータの書き込み及び読み出しを行う記録制御部と、ネットワーク回線と接続して外部との通信を行う通信制御部と、該通信制御部で受信した音声データにより音声出力を行うとともに音声入力により得られた音声データを該通信制御部に与える通話部と、通話相手先のダイヤルを含むユーザの操作を受ける操作部と、を備える音声通話用端末装置において、前記通信制御部で得られた通話相手先となる端末装置から送信される信号より、前記記憶部へのデータの記録を指示する制御信号を識別する制御信号識別部を備え、通話前記制御信号識別部において、前記制御信号が前記通信制御部で受信されたことを確認すると、前記制御信号によって指定される期間に前記通信制御部で受信された信号により得られる前記音声データに基づくデータを前記記録制御部に与えて前記記憶部に記憶させることを特徴とする。
【００１１】
このような音声通話用端末装置において、時間を計測するタイマを備え、前記制御信号によって指定される期間を、前記記憶部への記憶動作が行われていないときに前記制御信号識別部で前記制御信号を確認したときから、前記タイマによって計測された所定時間が経過するまでとしても構わない。又、前記制御信号によって指定される期間を、前記記憶部への記憶動作が行われていないときに前記制御信号識別部で前記制御信号を確認したときから、次に前記制御信号識別部で前記制御信号を確認するまでとしても構わない。
【００１２】
又、前記記憶部が、記憶するデータの種類に応じて格納する領域がｎ（ｎは、２以上の整数）領域に分割されるとともに、前記制御信号が、ｎ領域それぞれを指定する情報によるｎ種類の信号であり、前記制御信号識別部において、前記制御信号の情報を確認することで、データの記録先となる前記記憶部の領域が確認されるものとしても構わない。
【００１３】
更に、前記記憶部が、記憶するデータの種類に応じて格納する領域がｎ（ｎは、２以上の整数）領域に分割されるとともに、前記制御信号識別部において前記制御信号の受信を確認したとき、前記記憶部の領域が前記操作部により指定されたことを確認し、前記操作部により指定された前記記憶部の領域への記憶動作を行うものとしても構わない。このとき、前記制御信号識別部において前記制御信号の受信を確認したとき、前記記憶部の領域が前記操作部により指定されなかった場合、予め設定された前記記憶部の領域への記憶動作を行うものとしても構わない。
【００１４】
前記制御信号識別部において、前記制御信号が前記通信制御部で受信されたことを確認すると、前記制御信号によって指定される期間に前記通信制御部で受信された信号により得られる前記音声データを前記記録制御部に与えて前記記憶部に記憶させても構わない。
【００１５】
又、前記通信制御部で受信された信号により得られる前記音声データを文字によるテキストデータに変換する音声認識部を備え、前記制御信号識別部において、前記制御信号が前記通信制御部で受信されたことを確認すると、前記制御信号によって指定される期間に前記通信制御部で受信された信号により得られる前記音声データに基づく前記テキストデータを前記音声認識部より前記記録制御部に与えて前記記憶部に記憶させるものとしても構わない。
【００１６】
このとき、前記音声認識部における前記音声データから前記テキストデータに変換する際の音声認識動作に対するアプリケーションをｍ種類（ｍは、２以上の整数）備え、前記制御信号が、前記ｍ種類のアプリケーションそれぞれを指定する情報によるｍ種類の信号であり、前記制御信号識別部において、前記制御信号の情報を確認することで、前記音声認識部における音声認識動作に対する前記アプリケーションが確認されるものとしても構わない。当該アプリケーションが、前記記憶部に記憶する内容のカテゴリに応じて種類分けされるものとしても構わないし、前記通信相手先の話者に応じて種類分けされるものとしても構わない。
【００１７】
又、前記音声認識部における前記音声データから前記テキストデータに変換する際の音声認識動作に対するアプリケーションをｍ種類（ｍは、２以上の整数）備え、前記制御信号識別部において前記制御信号の受信を確認したとき、前記音声認識部における音声認識動作に対する前記アプリケーションが前記操作部により指定されたことを確認し、前記音声認識部において、前記操作部により指定された前記アプリケーションによる音声認識動作が行われるものとしても構わない。このとき、前記制御信号識別部において前記制御信号の受信を確認したとき、前記音声認識部における音声認識動作に対する前記アプリケーションが前記操作部により指定されなかった場合、前記音声認識部において、予め設定された前記アプリケーションによる音声認識動作が行われるものとしても構わない。
【００１８】
更に、前記記憶部へのデータの記録が終了すると、前記通信制御部より通信相手先に、前記記憶部へのデータの記録の完了を示す信号を送信するものとしても構わない。又、前記制御信号をＤＴＭＦ信号としても構わない。
【００１９】
上述の音声通話用端末装置において、前記記憶部に記録されたデータが再生されるとき、前記記録制御部によって前記記憶部より読み出されたデータが前記通話部に与えられて出力されるものとしても構わない。又、前記記憶部に記録されたデータが再生されるとき、記記録制御部によって前記記憶部より読み出されたデータが、前記通信制御部に与えられて前記通信制御部より現在の通信相手先となる端末装置に送信されるものとしても構わない。
【００２０】
又、前記通話相手先となる端末装置に対して、前記制御信号を発生する操作を指示するための音声ガイダンスとなる音声信号を前記通信制御部で生成して送信するものとしても構わない。このとき、前記制御信号を発生する操作が特定の操作ボタンを押下することであるものとしても構わない。更に、前記特定の操作ボタンを前記通話相手先に通知するために、前記特定の操作ボタンと同一の自機器の操作ボタンが押下されることで指定されるものとしても構わない。
【００２１】
又、本発明の音声通話用プログラムは、コンピュータを上述のいずれかの音声通話用端末装置として動作させるプログラムであることを特徴とする。
【発明の効果】
【００２２】
本発明によると、通話相手先からの制御信号によりデータの記憶動作を行うため、通話相手先のタイミングに応じてデータの記憶タイミングを設定することができる。よって、音声通信用端末装置のユーザと通話相手先との間で、データの記憶動作を行うためのタイミングを合わせる動作を不要とすることができる。これにより、不要なデータの通信を行うことがなく、その通信を効率的に行うことができる。又、通話相手先によってデータを記録する期間を設定することができるようにすることで、不要なデータが記録されずに、記憶部における記憶容量の資源を効率的に使用することができる。
【発明を実施するための最良の形態】
【００２３】
＜第１の実施形態＞
本発明の第１の実施の形態について、図面を参照して説明する。図１は、本実施形態の音声通話用端末装置の内部構成を示すブロック図である。図１の音声通話用端末装置において、図１４の音声通話用端末装置と同一の目的で使用する部分については、同一の符号を付して、その詳細な説明については省略する。
【００２４】
図１の音声通話用端末装置は、図１４の音声通話用端末装置と同様、回線接続Ｉ／Ｆ１と、通信制御部２と、通話部３と、記憶部４と、記録制御部５と、操作部６と、を備えるとともに、更に、通信制御部２で復号化された信号より音声データ以外の制御信号を確認する制御信号識別部７を備える。このように構成された音声通話用端末装置において、制御信号識別部７では、通信制御部２で復号化された信号が与えられ、その信号より制御信号を識別し、音声データの記憶部４への記憶の可否が指示されたか否かが確認される。
【００２５】
この音声通話用端末装置によると、操作部６が操作されることによって、通話相手先の電話番号が指定された後、この電話番号による通話相手先への発呼が指示されると、通信制御部２より通話相手先への発呼信号がネットワーク回線２０に送信され、通話相手先への発呼動作が行われる。そして、通話相手先において、送信した発呼信号に対して通信接続が許可されると、通話相手先との通話が開始される。又、通話相手先からの発呼信号がネットワーク回線２０を通じて通信制御部２で受信されると、不図示であるリンガなどにより着呼したことがユーザに報知され、操作部６が操作されることにより、通話相手先との通信接続を行うことが指示されると、通話相手先との通話が開始される。
【００２６】
このようにして、通話が開始されると、通話部３に入力された音声が音声データとして通信制御部２に与えられ、符号化された後に変調されて、回線接続Ｉ／Ｆ１よりネットワーク回線２０を介して通話相手先に送信される。又、通話相手先からの音声データ及び制御信号を含む信号を回線接続Ｉ／Ｆ１で受信すると、受信した信号が通信制御部２で復調された後、復号化される。この通信制御部２で復号化されて得られた信号が、制御信号識別部７に与えられ、音声データ又は制御信号のいずれであるかが識別される。そして、音声データである場合は、この音声データが通話部３に与えられ、音声出力される。
【００２７】
又、制御信号識別部７において、通信制御部２で復号化された信号が制御信号であることを確認すると、その制御信号に基づいて、記録制御部５の制御動作を行う。即ち、制御信号識別部７で、記録動作を開始する制御信号を受信したことを確認すると、記録制御部５の動作を開始することにより、制御信号受信後に通信制御部２で得られた音声データが記憶部４に記録される。このとき、この音声データは通話部３にも与えられるため、通話部３より音声出力も成される。そして、制御信号識別部７で、記録動作を停止する制御信号を受信したことを確認すると、記録制御部５の動作を停止することにより、通信制御部２で得られた音声データの記憶部４への記録が停止され、通常の通話動作となる。
【００２８】
このとき、制御信号識別部７で音声データと識別する制御信号としては、通話相手先において、端末装置のマイク部分をたたいたときに得られるパルス性のノイズや、音声認識を前提とした特別なキーワードの発声や、ＤＴＭＦ信号などが適用できる。このように、制御信号を設定することにより、通話相手先の音声通話用端末装置において、制御信号を生成するための特別な機能を有する必要がなく、従来の音声通話用端末装置の構成とすることができる。尚、以下では、ＤＴＭＦ信号を制御信号として利用するものとして、音声通話用端末装置の動作について説明する。
【００２９】
まず、通話開始後における音声通話用端末装置の動作について、図２のフローチャートに従って説明する。通話動作が開始されると、操作部６が操作されることで、又は、通話を終了する信号の回線接続Ｉ／Ｆ１における受信を通信制御部２で確認することで、通話が終了されたか否かが確認される（ＳＴＥＰ１）。このとき、通信制御部２において通話の終了が確認されず、通話が継続して行われている場合（Ｎｏ）、音声データの記憶部４への記録動作が行われているか否かが制御信号識別部７において確認される（ＳＴＥＰ２）。
【００３０】
そして、音声データの記憶部４への記録動作が行われていないとき（Ｎｏ）、制御信号識別部７において、通信制御部２で復号化された信号が記録動作の開始を示す制御信号であるか否かが確認される（ＳＴＥＰ３）。即ち、通信制御部２で復号化された信号が、音声データの記憶部４への記録を示すＤＴＭＦ信号による制御信号であることを確認する。この記憶部４への記録を示す制御信号を制御信号識別部７で確認すると（Ｙｅｓ）、記憶部４への記録動作を開始するように、記録制御部５の動作を制御し（ＳＴＥＰ４）、ＳＴＥＰ１に移行する。又、ＳＴＥＰ３において、通信制御部２で復号化された信号が音声データである場合も（Ｎｏ）、ＳＴＥＰ１に移行する。
【００３１】
逆に、ＳＴＥＰ２において、音声データの記憶部４への記録動作が確認されるとき（Ｙｅｓ）、通信制御部２で復号化された信号が記録動作の停止を示す制御信号であるか否かが確認される（ＳＴＥＰ５）。即ち、通信制御部２で復号化された信号が、音声データの記録動作の停止を示すＤＴＭＦ信号による制御信号であることを確認する。この記憶部４への記録動作の停止を示す制御信号を制御信号識別部７で確認すると（Ｙｅｓ）、記憶部４への記録動作を停止するように、記録制御部５の動作を制御し（ＳＴＥＰ６）、ＳＴＥＰ１に移行する。又、ＳＴＥＰ５において、通信制御部２で復号化された信号が音声データである場合は（Ｎｏ）、音声データを記録制御部５に与えて、音声データを記憶部４へ記録させた後（ＳＴＥＰ７）、ＳＴＥＰ１に移行する。
【００３２】
更に、ＳＴＥＰ１において、通信制御部２が通話の終了を確認すると（Ｙｅｓ）、ＳＴＥＰ２と同様、音声データの記憶部４への記録動作が行われているか否かが制御信号識別部７において確認される（ＳＴＥＰ８）。そして、制御信号識別部７において記憶部４への記録動作が行われていることが確認されると（Ｙｅｓ）、ＳＴＥＰ６と同様、記憶部４への記録動作を停止するように、記録制御部５の動作を制御する（ＳＴＥＰ９）。このように、記録制御部５による記録動作を停止した後、又は、ＳＴＥＰ８において、記憶部４への記録動作が行われていないことが確認された後、通信制御部２による通話動作を停止し（ＳＴＥＰ１０）、動作を終了する。
【００３３】
このように動作するとき、ＳＴＥＰ４で記録動作の開始を示す制御信号となるＤＴＭＦ信号と、ＳＴＥＰ５で記録動作の停止を示す制御信号となるＤＴＭＦ信号を異なるものとしても構わないし、同一のものとしても構わない。例えば、この記録動作の開始及び停止それぞれを示す制御信号となるＤＴＭＦ信号を同一として、ダイヤルボタン「１」により指定されるＤＴＭＦ信号であるものとする。
【００３４】
このときの音声通話用端末Ａ，Ｂ間で通話がなされるときに、図１のような構成の音声通話用端末装置Ａで音声通話用端末Ｂから送信される音声データが記録されるときの動作例について、図３のタイミングチャートに従って説明する。尚、音声用通信端末Ｂについては、図１のような構成としても構わないし、従来と同様の構成としても構わない。
【００３５】
音声通話用端末Ａ，Ｂ間でユーザａ，ｂ同士が通話を行っているとき、音声用通信端末Ｂのユーザｂがダイヤルボタン「１」を操作すると、制御信号となるＤＴＭＦ信号が音声通話用端末Ａに送信される。音声通話用端末Ａでは、このＤＴＭＦ信号を回線接続Ｉ／Ｆ１で受信し、通信制御部２において復調した後に復号化して、制御信号識別部７に与えられて、「１」を示すＤＴＭＦ信号であることを確認する。よって、記録制御部５に動作指示を与え、音声データの記憶部４への記録動作を開始する。
【００３６】
その後、ユーザｂが「明日の１３時に予算会議」と発声することで、この発声内容が音声データとして音声通話用端末Ｂより音声通話用端末Ａに送信されると、回線接続Ｉ／Ｆ１で受信し通信制御部２で復号化した信号が音声データであることを、制御信号識別部７で確認するために、通話部３で「明日の１３時に予算会議」と音声出力するとともに、この「明日の１３時に予算会議」なる音声データを記録制御部５に与え、記憶部４に格納する。
【００３７】
そして、ユーザｂが、「明日の１３時に予算会議」と発声した後に、再び、ダイヤルボタン「１」を操作すると、「１」を示すＤＴＭＦ信号が音声通話用端末Ａに送信される。よって、音声通話用端末Ａでは、回線接続Ｉ／Ｆ１で受信し通信制御部２で復号化した信号が「１」を示すＤＴＭＦ信号であることを、制御信号識別部７で確認する。そのため、記録制御部５に動作指示を与え、音声データの記憶部４への記録動作を停止する。このように動作することで、「明日の１３時に予算会議」なる音声データが、記憶部４に確実に格納されることとなる。
【００３８】
このようにして、通話中に記憶部４への音声データが記録されるとき、記憶部４に格納されたアドレス領域が記録時刻とともに、記録テーブルとして記録制御部５に格納され、記憶部４内の記録内容が管理されるものとしても構わない。このようにすることで、操作部６が操作されて、記録制御部５に対して記憶部４に記録された音声データの再生を行うように指示するとき、記録制御部５内の記録テーブルが確認されて、記録時刻に基づいて再生する音声データを選択することができる。そして、選択された音声データが記録制御部５によって記憶部４より読み出されると、通話部３に与えられて、この音声データによる音声出力が成される。
【００３９】
又、通話中に記憶部４への音声データの再生を行うように操作部６が操作されたとき、まず、記録制御部５内の記録テーブルが確認されて、記録時刻に基づいて再生する音声データを選択する。そして、選択された音声データが記録制御部５によって記憶部４より読み出され、通信制御部２及び通話部３に与えられる。通話部３では、読み出された音声データによる音声出力が成される。又、通信制御部２では、読み出された音声データの符号化及び変調が行われ、読み出された音声データによる信号が回線接続Ｉ／Ｆ１より通信相手先へ送信される。このように、通話中に記憶部４へ記録した音声データを通話相手先に送信することで、記録した通話相手と別の通話相手に記録した内容を確実に伝達したり、記録した通話相手が記録した内容を確認することができる。
【００４０】
本実施形態のように構成することで、通話相手先からの制御信号に基づいて、音声データの記録タイミングが設定されるため、通話相手先のタイミングで記録する音声内容を発声することができる。よって、音声データを記録する際における通信を効率的に行うことができる。
【００４１】
＜第２の実施形態＞
本発明の第２の実施の形態について、図面を参照して説明する。図４は、本実施形態の音声通話用端末装置の内部構成を示すブロック図である。図４の音声通話用端末装置において、図１の音声通話用端末装置と同一の目的で使用する部分については、同一の符号を付して、その詳細な説明については省略する。
【００４２】
本実施形態の音声通話用端末装置では、第１の実施形態と異なり、音声データを記録する時間が所定時間以内に設定されている。よって、図４に示す音声通話用端末装置は、図１の音声通話用端末装置の構成に、音声データの記録時間を測定するためのタイマ８が付加された構成となる。このような音声通話用端末装置の通話時の動作について、図５のフローチャートを参照して説明する。尚、図５のフローチャートにおいて、図２のフローチャートでの動作ステップと同一の動作ステップについては、同一の符号を付し、その詳細な説明は省略する。
【００４３】
図４に示す音声通話用端末装置は、図５のフローチャートのように、ＳＴＥＰ３において、記録動作の開始を示す制御信号が確認されると（Ｙｅｓ）、記憶部４への記録動作を開始するとともに（ＳＴＥＰ４）、タイマ８を初期化した後に（ＳＴＥＰ１１）、タイマ８による時間計測を開始し（ＳＴＥＰ１２）、ＳＴＥＰ１に移行する。このように、記憶部４への記録動作が開始されると、ＳＴＥＰ２で記憶部４での記録動作が確認され、ＳＴＥＰ５に移行する。
【００４４】
そして、ＳＴＥＰ５で、記録動作の停止を示す制御信号が確認されなかったとき（Ｎｏ）、タイマ８で計測した時間により音声データの記録を開始してから所定時間が経過したか否かが制御信号識別部７で確認される（ＳＴＥＰ１３）。このとき、所定時間の経過が確認されなかったとき（Ｎｏ）、ＳＴＥＰ７に移行して、音声データの記憶部４への記録が行われる。又、所定時間の経過が確認されたとき（Ｙｅｓ）、ＳＴＥＰ６に移行して、記憶部４への記録動作を停止する。
【００４５】
このように、本実施形態によると、音声データの記録が通話相手先より指示された後、所定時間が経過しても、音声データの記録の終了が通話相手先より指示されなかったときに、自動的に音声データの記録を終了することができる。このようにすることで、通話相手先が、音声データの記録の終了を指示することを忘れていた場合においても、自動的に音声データの記録を終了することができる。又、この音声データの記録時間を設定する所定時間については、操作部６を操作することによって変更して、制御信号識別部７に記憶させるようにすることで、ユーザによって最適な時間に設定することができる。
【００４６】
＜第３の実施形態＞
本発明の第３の実施の形態について、図面を参照して説明する。図６は、本実施形態の音声通話用端末装置の内部構成を示すブロック図である。図６の音声通話用端末装置において、図１の音声通話用端末装置と同一の目的で使用する部分については、同一の符号を付して、その詳細な説明については省略する。
【００４７】
本実施形態の音声通話用端末装置では、第１の実施形態（図１参照）と異なり、図６に示すように、音声データを記録する記憶部４が、複数の記憶領域４−１〜４−ｎ（ｎは、２以上の整数）に分割されている。その他の構成については、図１に示す音声通話用端末装置と同様の構成となる。そして、音声データを記憶する際に、通話相手先からの制御信号の種類に応じて、記憶領域４−１〜４−ｎのいずれに音声データを記録するかを記録制御部５が設定する。このような音声通話用端末装置の通話時の動作について、図７のフローチャートを参照して説明する。尚、図７のフローチャートにおいて、図２のフローチャートでの動作ステップと同一の動作ステップについては、同一の符号を付し、その詳細な説明は省略する。
【００４８】
図６に示す音声通話用端末装置は、図７のフローチャートのように、ＳＴＥＰ３において、記録動作の開始を示す制御信号が確認されると（Ｙｅｓ）、制御信号識別部７において、受信した制御信号の内容より、記憶部４の記憶領域４−１〜４−ｎのいずれが、音声データの記録先であるかが確認される（ＳＴＥＰ２１）。そして、ＳＴＥＰ４に移行すると、ＳＴＥＰ２１で確認された記録先となる記憶領域４−ｋ（ｋは、１≦ｋ≦ｎの整数）への音声データの記録動作を開始した後、ＳＴＥＰ１に移行する。その後の動作については、第１の実施形態の音声通話用端末装置と同様である。
【００４９】
このとき、例えば、記憶部４に記憶領域４−１〜４−３を備え、「１」〜「３」それぞれを示すＤＴＭＦ信号により、記憶領域４−１〜４−３それぞれが指定されるものとし、記憶領域４−１にスケジュールが、記憶領域４−２に住所が、記憶領域４−３に電話番号が、記憶されるようにすることで、通話記録する内容をカテゴリ別に分類することができる。音声データの記録が開始された後は、音声データの記録の開始を示すＤＴＭＦ信号と同一のＤＴＭＦ信号を受信することにより音声データの記録が停止されるものとしても構わないし、又、記憶領域４−１〜４−ｎそれぞれに対して設定されたＤＴＭＦ信号を受信することで音声データの記録が停止されるものとしても構わない。
【００５０】
尚、通話相手先に対して、通話記録する内容に応じて、図６に示す音声通話用端末装置のユーザが操作するダイヤルボタンを伝えるようにしても構わないし、通信制御部２において、操作するダイヤルボタンを伝える音声データを生成して送信するようにしても構わない。即ち、例えば、電話番号を記録する場合、ユーザが「『３』を押してから喋ってください」と発声することで伝えるものとしても構わないし、「『３』を押してから喋ってください」という音声データを通信制御部２が生成して通信相手先に送信するものとしても構わない。
【００５１】
又、操作するダイヤルボタンを伝える音声データを生成して送信する場合、操作するダイヤルボタンを通話相手先に示すために、ユーザがダイヤルボタンを操作し、このユーザが操作して指定したダイヤルボタンを示すことを伝えるものとしても構わない。即ち、ユーザがダイヤルボタン『３』を操作することで、通信制御部２において操作されたダイヤルボタン『３』が電話番号の記録を開始するためのダイヤルボタンに指定されたことを確認する。そして、「『３』を押してから喋ってください」という音声データを通信制御部２が生成して通信相手先に送信する。
【００５２】
又、記録した記憶領域のカテゴリについても、記録制御部５内の記録テーブルに記録されるものとすることで、ユーザが再生するとき、又は、音声データを転送するときに、カテゴリにより再生したい音声データを格納した記憶領域４−ｋを容易に識別することができる。即ち、記録した音声データの再生や通話相手先への転送を行う際に、記録制御部５の記録テーブルが確認されたとき、ユーザによってカテゴリが指定されて、まず、再生が所望される音声データが格納される記憶領域４−ｋが選択される。その後、記録時間などが指定されることにより、再生が所望される音声データの記録されている記憶領域４−ｋでのアドレス位置が指定されて、音声データが記憶部４より読み出される。
【００５３】
＜第４の実施形態＞
本発明の第４の実施の形態について、図面を参照して説明する。本実施形態の音声通話用端末装置の内部構成は、第３の実施形態と同様、図６に示す構成となる。
【００５４】
本実施形態の音声通話用端末装置では、第３の実施形態と異なり、通話相手先により音声データを記録する記憶領域４−ｋの指定が成されるものではなく、図６の構成の音声通話用端末装置のユーザによって操作部６が操作されることで、音声データを記録する記憶領域４−ｋの指定が成される。このような音声通話用端末装置の通話時の動作について、図８のフローチャートを参照して説明する。尚、図８のフローチャートにおいて、図６のフローチャートでの動作ステップと同一の動作ステップについては、同一の符号を付し、その詳細な説明は省略する。
【００５５】
本実施形態の音声通話用端末装置は、図８のフローチャートのように、ＳＴＥＰ３において、記録動作の開始を示す制御信号が確認されると（Ｙｅｓ）、記憶部４の記憶領域４−１〜４−ｎのいずれを音声データの記録先にするか、操作部６を操作するようにユーザに求める（ＳＴＥＰ３１）。そして、ＳＴＥＰ３で制御信号の受信を確認してから所定時間内に、操作部６が操作されて、音声データの記録先となる記憶領域４−ｋの指定が成されたか否かが確認される（ＳＴＥＰ３２）。
【００５６】
このとき、操作部６が操作されて音声データの記録先となる記憶領域４−ｋの指定が成されたことを確認すると（Ｙｅｓ）、指定された記憶領域４−ｋへの記録を認識して（ＳＴＥＰ２１）、ＳＴＥＰ４に移行する。そして、ＳＴＥＰ３２で確認された記録先となる記憶領域４−ｋへの音声データの記録動作を開始した後、ＳＴＥＰ１に移行する。逆に、操作部６が操作されて音声データの記録先となる記憶領域４−ｋの指定が成されていない場合（Ｎｏ）、記憶領域４−１を音声データの記録先に設定し（ＳＴＥＰ３３）、ＳＴＥＰ４に移行する。そして、ＳＴＥＰ３３で指定した記憶領域４−１への音声データを開始し、ＳＴＥＰ１に移行する。その後の動作については、第１の実施形態の音声通話用端末装置と同様である。
【００５７】
このとき、例えば、第３の実施形態と同様、記憶部４に記憶領域４−１〜４−３を備え、操作部６のダイヤルボタン「１」〜「３」それぞれを操作するにより、記憶領域４−１〜４−３それぞれが指定されるものとし、記憶領域４−１にスケジュールが、記憶領域４−２に住所が、記憶領域４−３に電話番号が、記憶されるようにすることで、通話記録する内容をカテゴリ別に分類することができる。
【００５８】
そして、通信相手先より、第１の実施形態と同様、「１」を示すＤＴＭＦ信号を受信することで、記憶部４への音声データの記録を開始するとき、操作部６の操作が成されなかったときは、スケジュールが記録される記憶領域４−１への音声データの記録が開始される。又、操作部６のダイヤルボタン「１」〜「３」のいずれかが操作されたとき、操作されたボタンに応じた記憶領域４−１〜４−３のいずれかへの音声データの記録が開始される。
【００５９】
このように記憶部４への音声データが記録されると、第３の実施形態と同様、記録制御部５内の記録テーブルに記録されるものとすることで、ユーザが再生するとき、又は、音声データを転送するときに、カテゴリにより再生したい音声データを格納した記憶領域４−ｋを容易に識別することができる。又、このように、ユーザの操作部６の操作により記録する記憶領域４−ｋが指定されるため、通話相手先に記憶領域４−ｋを指定するための通知を行う必要がなくなる。
【００６０】
尚、第３及び第４の実施形態において、第２の実施形態と同様、タイマ８を設けることによって、音声データの記録が開始されたときにタイマ８による時間計測を行って、音声データの記録時間が制限されるものとしても構わない。
【００６１】
＜第５の実施形態＞
本発明の第５の実施の形態について、図面を参照して説明する。図９は、本実施形態の音声通話用端末装置の内部構成を示すブロック図である。図９の音声通話用端末装置において、図１の音声通話用端末装置と同一の目的で使用する部分については、同一の符号を付して、その詳細な説明については省略する。
【００６２】
本実施形態の音声通話用端末装置では、第１の実施形態と異なり、音声データはテキストデータに変換されて記憶部４に記録される。よって、図９に示す音声通話用端末装置は、図１の音声通話用端末装置の構成に、音声データをテキストデータに変換するための音声認識部９と、記憶部４に格納されたテキストデータによるテキストが表示される表示部１０と、が付加された構成となる。このような音声通話用端末装置の通話時の動作について、図１０のフローチャートを参照して説明する。尚、図１０のフローチャートにおいて、図２のフローチャートでの動作ステップと同一の動作ステップについては、同一の符号を付し、その詳細な説明は省略する。
【００６３】
図９に示す音声通話用端末装置は、図１０のフローチャートのように、ＳＴＥＰ５において、通信制御部２で復号化された信号が音声データであることを制御信号識別部７が確認すると（Ｎｏ）、通信制御部２から音声データが音声認識部９に与えられて、音声データより認識される音声をテキストデータに変換した後（ＳＴＥＰ４１）、ＳＴＥＰ７に移行して、このテキストデータを記録制御部５に与えてを記憶部４へ記録させる。このようにして、テキストデータを記憶部４へ記録すると、ＳＴＥＰ１に移行する。
【００６４】
このように、通話相手先の音声による音声データをテキストデータに変換して記憶部４に記録することで、ユーザが操作部６を操作して、記憶部４に記録したテキストデータの表示を求めたとき、記録制御部５によって記憶部４より読み出されたテキストデータが表示部１０に与えられ、表示部１０にテキストとして表示される。又、図９の音声通話用端末装置が、メール機能などのテキストデータの送受信機能を備えるとき、このテキストデータを通信制御部２で符号化及び変調して、相手先となる音声通話用端末装置に送信するものとしても構わない。
【００６５】
＜第６の実施形態＞
本発明の第６の実施の形態について、図面を参照して説明する。本実施形態の音声通話用端末装置の内部構成は、第５の実施形態と同様、図９に示す構成となる。
【００６６】
本実施形態の音声通話用端末装置では、第５の実施形態と異なり、記憶部４に記録する音声データの内容に応じたカテゴリを指定する制御信号を受信することで、音声認識部９が音声認識する音声データの内容のカテゴリを把握するものである。このようにすることで、音声認識部９における音声認識の性能を向上することができる。このような音声通話用端末装置の通話時の動作について、図１１のフローチャートを参照して説明する。尚、図１１のフローチャートにおいて、図１０のフローチャートでの動作ステップと同一の動作ステップについては、同一の符号を付し、その詳細な説明は省略する。
【００６７】
本実施形態の音声通話用端末装置は、図１１のフローチャートのように、ＳＴＥＰ３において、記録動作の開始を示す制御信号が確認されると（Ｙｅｓ）、制御信号識別部７において、受信した制御信号の内容より、音声認識部９で音声認識する音声データの内容のカテゴリの確認が行われる（ＳＴＥＰ５１）。このように、制御信号識別部７で確認されたカテゴリが、音声認識部９に伝えられることにより、音声認識部９では、音声認識に用いるアプリケーションとなる辞書や文法などをカテゴリに適応したものに切り換える。その後、ＳＴＥＰ４に移行して、記憶部４へのテキストデータの記録動作を開始する。
【００６８】
このとき、例えば、「１」〜「４」それぞれを示すＤＴＭＦ信号により、音声認識する内容のカテゴリが指定されるものとし、「１」を示すＤＴＭＦ信号により「日時」が、「２」を示すＤＴＭＦ信号により「用件」が、「３」を示すＤＴＭＦ信号により「住所」が、「４」を示すＤＴＭＦ信号により「電話番号」が、それぞれ指定されるものとする。このように予め設定すると、記録する用件により通話相手先に操作してもらうダイヤルボタンを伝えることで、通話相手先で操作されたダイヤルボタンによる制御信号となるＤＴＭＦ信号を受信し、記録する内容のカテゴリに応じた音声認識動作を行うことができる。
【００６９】
このように動作するとき、音声認識動作に使用する辞書や文法などについて、「日時」や「住所」や「電話番号」のように語彙が限定できるものに対しては、その語彙を組み込んでおくことができる。又、「用件」のように語彙の限定が困難なものに対しては、ユーザが良く使用する辞書や文法を予め設定するようにしても構わないし、ビジネス向け又は学生向けといった複数の辞書や文法を組み込んでおき、ユーザが予め選択するものとしても構わない。
【００７０】
尚、本実施形態において、記録する内容のカテゴリを制御信号により確認するものとしたが、制御信号識別部７において通話相手先の話者の種別を制御信号により確認し、通話相手先の話者の種別に応じて、音声認識に用いるアプリケーションとなる辞書や文法などを音声認識部９で切り換えるものとしても構わない。即ち、例えば、「１」を示すＤＴＭＦ信号により「女性」が、「２」を示すＤＴＭＦ信号により「男性」が、「３」を示すＤＴＭＦ信号により「子供」が、それぞれ指定されるものとする。このとき、通話相手先が女性の場合、通話相手先で「１」を示すダイヤルボタンが操作されることで、女性を音響モデルとしたときの音声認識に用いるアプリケーションとなる辞書や文法などが、音声認識部９で選択される。
【００７１】
又、本実施形態において、第４の実施形態と同様に、通話相手先からの制御信号を受信して、記憶部４への記録の開始が確認された後、図９の構成の音声通話用端末装置のユーザによって操作部６が操作されることで、記録する内容のカテゴリや通話相手先の話者の種別が認識されるものとしても構わない。このときの動作について、図１２のフローチャートを参照して説明する。尚、図１２のフローチャートにおいて、図８及び図１１のフローチャートでの動作ステップと同一の動作ステップについては、同一の符号を付し、その詳細な説明は省略する。
【００７２】
図１２のフローチャートに示すように、ＳＴＥＰ３において、記録動作の開始を示す制御信号が確認されると（Ｙｅｓ）、記録する内容のカテゴリや通話相手先の話者の種別を指定するために、操作部６を操作するようにユーザに求める（ＳＴＥＰ３１）。そして、ＳＴＥＰ３で制御信号の受信を確認してから所定時間内に、操作部６が操作されたか否かが確認される（ＳＴＥＰ３２）。
【００７３】
このとき、操作部６が操作されたことを確認すると（Ｙｅｓ）、受信した制御信号の内容より、記録する内容のカテゴリや通話相手先の話者の種別の確認が行われる（ＳＴＥＰ５１）。そして、確認されたカテゴリや話者の種別に応じた音声認識に用いるアプリケーションとなる辞書や文法などが選択されて、ＳＴＥＰ４に移行する。又、操作部６が操作されなかった場合（Ｎｏ）、音声認識部９では、予め設定された音声認識に用いるアプリケーションとなる辞書や文法などが選択され（ＳＴＥＰ６１）、ＳＴＥＰ４に移行する。
【００７４】
更に、第５及び第６の実施形態において、第２の実施形態と同様、タイマ８を設けることによって、音声データの記録が開始されたときにタイマ８による時間計測を行って、テキストデータとして記録する音声データの時間が制限されるものとしても構わない。又、第３及び第４の実施形態と同様、記憶部４に複数の記憶領域４−１〜４−ｎを設け、制御信号又は操作部６によって、記録する内容のカテゴリが選択されるものとしても構わない。
【００７５】
又、第１〜第６の実施形態において、ＳＴＥＰ６において、記憶部４への記録動作の停止を示す制御信号が確認されたとき、記憶部４への記録が行われたことを示す完了信号を送信するようにしても構わない。このとき、通信制御部２において完了信号が生成された後、回線接続Ｉ／Ｆ１よりネットワーク回線２０を介して通信相手先に完了信号を送信する。この完了信号を通信相手先の音声通話用端末装置で受信することにより、通信相手先では、各実施形態の音声通話用端末装置の記憶部４に音声データ又はテキストデータが記録されたことが確認される。
【００７６】
上述の各実施形態における音声通話用端末装置を、図１３のように、コンピュータを用いて実現するものとしても構わない。図１３の構成によると、装置全体の制御を行うＣＰＵ（Central Processing Unit）２０１と、アプリケーションソフトやデータの記録を行う記憶装置２０２と、外部の記憶媒体２１０へのデータの書き込みや読み出しを行う読み取り装置２０３と、外部のデータの入出力装置が接続される入出力Ｉ／Ｆ装置２０４と、ネットワーク回線２０と接続される通信Ｉ／Ｆ装置２０５と、を備え、各装置間でのデータのやりとりがバス回線２００を通じて行われる。
【００７７】
そして、入出力Ｉ／Ｆ装置２０４に、音声を出力するスピーカ２０６と、音声を入力するマイク２０７と、データの入力を行うキーボード２０８と、画像の出力を行うディスプレイ２０９と、が接続され、又、通信Ｉ／Ｆ２０３により、ネットワーク回線２０を通じてサーバ２１１や他の音声通話用端末装置（不図示）と通信接続される。又、記憶装置２０２が、書き換え可能な磁気記憶装置や半固定の半導体メモリ、及び、ＣＰＵ２０１が動作するために必要な作業用メモリなどで構成される。
【００７８】
このように構成されるとき、例えば、記憶媒体２１０に上述の各実施形態における音声通話用端末装置として動作するためのプログラムが格納され、この記憶媒体２１０内のプログラムが読み取り装置２０３で読み取られるものとしても構わない。このように、記憶媒体２１０から読み取られたプログラムが記憶装置２０２に記憶されてＣＰＵ２０１によって実行されることで、音声通話用端末装置として動作する。又、例えば、サーバ２１０に上述の各実施形態における音声通話用端末装置として動作するためのプログラムが格納され、通信Ｉ／Ｆ装置２０５を通じて、このプログラムがサーバ２１０よりダウンロードされるものとしても構わない。このように、サーバ２１０よりダウンロードされたプログラムが記憶装置２０２に記憶されてＣＰＵ２０１によって実行されることで、音声通話用端末装置として動作する。
【産業上の利用可能性】
【００７９】
本発明は、携帯型電話装置、固定電話装置などを含む音声通話用端末装置に適用可能であり、又、音声通話用端末装置として構成したコンピュータにも適用可能である。
【図面の簡単な説明】
【００８０】
【図１】は、第１の実施形態の音声通話用端末装置の内部構成を示すブロック図である。
【図２】は、第１の実施形態の音声通話用端末装置の通話中の動作を示すフローチャートである。
【図３】は、第１の実施形態の音声通話用端末装置の通話中の動作を示すタイミングチャートである。
【図４】は、第２の実施形態の音声通話用端末装置の内部構成を示すブロック図である。
【図５】は、第２の実施形態の音声通話用端末装置の通話中の動作を示すフローチャートである。
【図６】は、第３及び第４の実施形態の音声通話用端末装置の内部構成を示すブロック図である。
【図７】は、第３の実施形態の音声通話用端末装置の通話中の動作を示すフローチャートである。
【図８】は、第４の実施形態の音声通話用端末装置の通話中の動作を示すフローチャートである。
【図９】は、第５の実施形態の音声通話用端末装置の内部構成を示すブロック図である。
【図１０】は、第５の実施形態の音声通話用端末装置の通話中の動作を示すフローチャートである。
【図１１】は、第６の実施形態の音声通話用端末装置の通話中の動作を示すフローチャートである。
【図１２】は、第６の実施形態の音声通話用端末装置の通話中の別の動作例を示すフローチャートである。
【図１３】は、本発明の各実施形態の音声通話用端末装置をコンピュータに適用したときの構成を示すブロック図である。
【図１４】は、従来の音声通話用端末装置の内部構成を示すブロック図である。
【符号の説明】
【００８１】
１    回線接続Ｉ／Ｆ
２    通信制御部
３    通話部
４    記憶部
４−１〜４−ｎ    記憶領域
５    記録制御部
６    操作部
７    制御信号識別部
８    タイマ
９    音声認識部
１０    表示部
【図１】
2007235328.tif 000003
【図２】
2007235328.tif 000004
【図３】
2007235328.tif 000005
【図４】
2007235328.tif 000006
【図５】
2007235328.tif 000007
【図６】
2007235328.tif 000008
【図７】
2007235328.tif 000009
【図８】
2007235328.tif 000010
【図９】
2007235328.tif 000011
【図１０】
2007235328.tif 000012
【図１１】
2007235328.tif 000013
【図１２】
2007235328.tif 000014
【図１３】
2007235328.tif 000015
【図１４】
2007235328.tif 000016